(57)【特許請求の範囲】
【請求項１】
第一プロセッサと給電モジュールに接続された無線モジュールに適用される電子機器のウェイクアップ方法であって、
前記第一プロセッサが電源オフ状態にある場合、前記第一プロセッサをウェイクアップする必要があるか否かをモニタリングすることと、
前記第一プロセッサをウェイクアップさせる必要がある場合、前記第一プロセッサへ給電させて前記第一プロセッサをウェイクアップさせるように前記給電モジュールを制御することと、を含み、
前記第一プロセッサをウェイクアップさせる必要があるか否かをモニタリングすることは、
前記電子機器の第一パワーオン信号又は前記第一プロセッサのシャットダウン信号を取得したか否かをモニタリングすることと、
前記第一パワーオン信号又は前記シャットダウン信号を取得した場合、目標無線端末から送信された第一制御信号を受信したか否かをモニタリングすることと、
目標無線端末から送信された第一制御信号を受信した場合、第一プロセッサをウェイクアップさせる必要があると確定することと、
を含み、
前記目標無線端末から送信された第一制御信号を受信したか否かをモニタリングすることは、
無線端末から送信された第一制御信号を受信した場合、前記第一制御信号が関連付けられた無線端末から送信された第一制御信号であるか否かを判断することと、
前記第一制御信号が関連付けられた無線端末から送信された第一制御信号である場合、目標無線端末から送信された第一制御信号を受信したと確定することと、
を含み、
前記第一制御信号が関連付けられた無線端末から送信された第一制御信号であるか否かを判断することは、
前記第一制御信号に付けた無線端末標識を取得することと、
前記電子機器に記憶されている予め設定された機器リストに前記無線端末標識を記録しているか否かを調べ、記録している場合、前記第一制御信号が関連付けられた無線端末から送信された第一制御信号であると確定することと、
を含む、ことを特徴とする電子機器のウェイクアップ方法。
【請求項２】
前記目標無線端末から送信された第一制御信号を受信したか否かをモニタリングすることは、
前記第一プロセッサへ給電させるように前記給電モジュールを制御することと、
前記第一プロセッサが給電された後に送信した無線モジュール制御システムの実行ファイルを受信することと、
前記実行ファイルの受信が終了した後、前記第一プロセッサへの給電を切断させるように前記給電モジュールを制御することと、
前記実行ファイルを用いて前記無線モジュール制御システムを更新し、前記無線モジュール制御システムによって前記無線端末から送信された第一制御信号を受信したか否かをモニタリングすることと、
を含むことを特徴とする請求項１に記載の方法。
【請求項３】
前記第一プロセッサが電源オフ状態にある場合、第一プロセッサをウェイクアップさせる必要があるか否かをモニタリングすることは、
前記第一プロセッサから送信されたスリープ信号及びスリープ持続期間を受信した場合、スリープタイマを開始すると共に、前記第一プロセッサへの給電を切断させて前記第一プロセッサが電源オフ状態にさせるように前記給電モジュールを制御することと、
前記スリープタイマに基づきスリープ持続期間が満了したと判断する場合に、又はスリープ持続時間が満了する前に目標無線端末から送信された第二制御信号を受信した場合、前記第一プロセッサをウェイクアップさせる必要があると確定することと、
を含むことを特徴とする請求項１に記載の方法。
【請求項４】
電子機器のウェイクアップ装置であって、
第一プロセッサが電源オフ状態にある場合、前記第一プロセッサをウェイクアップさせる必要があるか否かをモニタリングするモニタリングユニットと、
前記第一プロセッサをウェイクアップさせる必要がある場合、前記第一プロセッサへ給電させて前記第一プロセッサをウェイクアップさせるように給電モジュールを制御する制御ユニットと、
を含み、
前記モニタリングユニットは、
前記電子機器の第一パワーオン信号又は前記第一プロセッサのシャットダウン信号を取得したか否かをモニタリングする第一モニタリングサブユニットと、
前記第一パワーオン信号又は前記シャットダウン信号を取得した場合、目標無線端末から送信された第一制御信号を受信したか否かをモニタリングする第二モニタリングサブユニットと、
目標無線端末から送信された第一制御信号を受信した場合、第一プロセッサをウェイクアップさせる必要があると確定する第一確定サブユニットと、
を含み、
前記第二モニタリングサブユニットは、
無線端末から送信された第一制御信号を受信した場合、前記第一制御信号が関連付けられた無線端末から送信された第一制御信号であるか否かを判断する判断モジュールと、
前記第一制御信号が関連付けられた無線端末から送信された第一制御信号である場合、目標無線端末から送信された第一制御信号を受信したと確定する確定モジュールと、
を含み、
前記判断モジュールは、
前記第一制御信号に付けた無線端末標識を取得する取得サブモジュールと、
前記電子機器に記憶されている予め設定された機器リストに前記無線端末標識を記録しているか否かを調べ、記録している場合、前記第一制御信号が関連付けられた無線端末から送信された第一制御信号であると確定する照合確定サブモジュールと、
を含むことを特徴とする電子機器のウェイクアップ装置。
【請求項５】
前記第二モニタリングサブユニットは、
前記第一プロセッサへ給電させるように前記給電モジュールを制御する第一制御モジュールと、
前記第一プロセッサが給電された後に送信した無線モジュール制御システムの実行ファイルを受信する受信モジュールと、
前記実行ファイルの受信が終了した後に、前記第一プロセッサへの給電を切断させるように前記給電モジュールを制御する第二制御モジュールと、
前記実行ファイルを用いて前記無線モジュール制御システムを更新し、前記無線モジュール制御システムによって前記無線端末から送信された第一制御信号を受信したか否かをモニタリングするモニタリングモジュールと、
を含むことを特徴とする請求項４に記載の装置。
【請求項６】
前記モニタリングユニットは、
前記第一プロセッサから送信されたスリープ信号及びスリープ持続期間を受信した場合、スリープタイマを開始すると共に、前記第一プロセッサへの給電を切断させて前記第一プロセッサを電源オフ状態とさせるように前記給電モジュールを制御するスリープ及び制御サブユニットと、
前記スリープタイマに基づきスリープ持続期間が満了したと判断する場合、或いはスリープ持続期間が満了する前に目標無線端末から送信された第二制御信号を受信した場合、前記第一プロセッサをウェイクアップさせる必要があると確定する第二確定サブユニットと、
を含むことを特徴とする請求項４に記載の装置。
【請求項７】
電子機器であって、
第一プロセッサと、給電モジュールと無線モジュールとを含み、
前記無線モジュールは、第二プロセッサ、及び第二プロセッサの実行指令を記録するためのメモリーを含み、
その中、前記第二プロセッサは、
第一プロセスが電源オフ状態にある場合、第一プロセッサをウェイクアップさせる必要があるか否かをモニタリングし、
第一プロセッサをウェイクアップさせる必要がある場合、前記第一プロセッサへ給電させて前記第一プロセッサをウェイクアップさせるように前記給電モジュールを制御するように配置され、
前記第一プロセッサをウェイクアップさせる必要があるか否かをモニタリングすることは、
前記電子機器の第一パワーオン信号又は前記第一プロセッサのシャットダウン信号を取得したか否かをモニタリングすることと、
前記第一パワーオン信号又は前記シャットダウン信号を取得した場合、目標無線端末から送信された第一制御信号を受信したか否かをモニタリングすることと、
目標無線端末から送信された第一制御信号を受信した場合、第一プロセッサをウェイクアップさせる必要があると確定することと、
を含み、
前記目標無線端末から送信された第一制御信号を受信したか否かをモニタリングすることは、
無線端末から送信された第一制御信号を受信した場合、前記第一制御信号が関連付けられた無線端末から送信された第一制御信号であるか否かを判断することと、
前記第一制御信号が関連付けられた無線端末から送信された第一制御信号である場合、目標無線端末から送信された第一制御信号を受信したと確定することと、
を含み、
前記第一制御信号が関連付けられた無線端末から送信された第一制御信号であるか否かを判断することは、
前記第一制御信号に付けた無線端末標識を取得することと、
前記電子機器に記憶されている予め設定された機器リストに前記無線端末標識を記録しているか否かを調べ、記録している場合、前記第一制御信号が関連付けられた無線端末から送信された第一制御信号であると確定することと、
を含む電子機器。
【発明の詳細な説明】
【技術分野】
【０００１】
本願は、出願番号がＣＮ２０１５１０５４９４６７．６であり、出願日が２０１５年８月３１日である中国特許出願に基づいて提出され、当該中国特許出願の優先権を主張し、当該中国特許出願の全ての内容はここで参考として本願に援用される。
【０００２】
本発明は機器制御技術分野に関し、特に電子機器、電子機器のウェイクアップ方法及び装置に関する。
【背景技術】
【０００３】
従来の無線通信機器において、一般的に無線モジュールは無線通信機器ホストシステムＣＰＵに制御されデータの送受信を行う。無線通信システムのホストシステムがシャットダウンした後、ここでシャットダウンとは一般的に無線通信機器の物理キーによってホストシステムＣＰＵへの給電を切断し、それに応じて、無線モジュールもパワーオフして動作ができなくなり、無線モジュールがホストシステムをウェイクアップできなってしまった。
【０００４】
関連技術において、現在、大部分のＣＰＵ（中央処理装置、Ｃｅｎｔｒａｌ  Ｐｒｏｃｅｓｓｉｎｇ  Ｕｎｉｔ）に対して構築デザインを行う時に、通常に消費電力が低く、速度が低いＭＣＵ（マイクロ制御ユニット、Ｍｉｃｒｏｃｏｎｔｒｏｌｌｅｒ  Ｕｎｉｔ）に接続した。ＭＣＵは電子機器がシャットダウン又はスリープ状態にある時に低速運転状態にあり、外部から入力された制御信号をモニタリングする時にＣＰＵをウェイクアップさせる。これから分かるように、関連技術においてＭＣＵに接続したため、格別にコストを増やす必要があり、資源を消費した。
【発明の概要】
【０００５】
本発明は、従来技術に存在した問題を克服するために、電子機器、電子機器のウェイクアップ方法及び装置を提供する。
【０００６】
本発明の実施例の第一態様によれば、第一プロセッサと給電モジュールに接続された無線モジュールに適用される電子機器のウェイクアップ方法であって、
前記第一プロセッサが電源オフ状態にある場合、前記第一プロセッサをウェイクアップする必要があるか否かをモニタリングすることと、
前記第一プロセッサをウェイクアップさせる必要がある場合、前記第一プロセッサへ給電させて前記第一プロセッサをウェイクアップさせるように前記給電モジュールを制御することと、を含むことを特徴とする電子機器のウェイクアップ方法を提供する。
【０００７】
また、前記第一プロセッサをウェイクアップさせる必要があるか否かをモニタリングすることは、
前記電子機器の第一パワーオン信号又は前記第一プロセッサのシャットダウン信号を取得したか否かをモニタリングすることと、
前記第一パワーオフ信号又は前記シャットダウン信号を取得した場合、目標無線端末から送信された第一制御信号を受信したか否かをモニタリングすることと、
目標無線端末から送信された第一制御信号を受信した場合、第一プロセッサをウェイクアップさせる必要があると確定することと、を含む。
【０００８】
また、前記目標無線端末から送信された第一制御信号を受信したか否かをモニタリングすることは、
前記第一プロセッサへ給電させるように前記給電モジュールを制御することと、
前記第一プロセッサが給電された後に送信した無線モジュール制御システムの実行ファイルを受信することと、
前記実行ファイルの受信が終了した後、前記第一プロセッサへの給電を切断させるように前記給電モジュールを制御することと、
前記実行ファイルにより前記無線モジュール制御システムを更新し、前記無線モジュール制御システムによって前記無線端末から送信された第一制御信号を受信したか否かをモニタリングすることと、
を含む。
【０００９】
また、前記目標無線端末から送信された第一制御信号を受信したか否かをモニタリングすることは、
前記無線端末から送信された第一制御信号を受信した場合、前記第一制御信号が関連付けられた無線端末から送信された第一制御信号であるか否かを判断することと、
前記第一制御信号が関連付けられた無線端末から送信された第一制御信号である場合、目標無線端末から送信された第一制御信号を受信したと確定することと、
を含む。
【００１０】
また、前記第一制御信号が関連付けられた無線端末から送信された第一制御信号であるか否かを判断することは、
前記第一制御信号に付けた無線端末標識を取得することと、
予め決定された機器リストに前記無線端末標識を記録しているか否かを調べ、記録している場合、前記第一制御信号が関連付けられた無線端末から送信された第一制御信号であると確定することと、
を含む。
【００１１】
また、前記第一プロセッサが電源オフ状態にある場合、第一プロセッサをウェイクアップさせる必要があるか否かをモニタリングすることは、
前記第一プロセッサから送信されたスリープ信号及びスリープ持続期間を受信した場合、スリープタイマを開始すると共に、前記第一プロセッサへの給電を切断させて前記第一プロセッサが電源オフ状態にさせるように前記給電モジュールを制御することと、
前記スリープタイマに基づきスリープ持続期間が満了したと判断する場合、又はスリープ持続時間が満了する前に目標無線端末から送信された第二制御信号を受信した場合、前記第一プロセッサをウェイクアップさせる必要があると確定することと、
を含む。
【００１２】
本実施例の第二態様によれば、電子機器のウェイクアップ装置であって、
前記第一プロセッサが電源オフ状態にある場合、前記第一プロセッサをウェイクアップさせる必要があるか否かをモニタリングするモニタリングユニットと、
前記第一プロセッサをウェイクアップさせる必要がある場合、前記第一プロセッサへ給電させて前記第一プロセッサをウェイクアップさせるように前記給電モジュールを制御する制御ユニットと、
を含むことを特徴とする電子機器のウェイクアップ装置を提供する。
【００１３】
また、前記モニタリングユニットは、
前記電子機器の第一パワーオフ信号又は前記第一プロセッサのシャットダウン信号を取得したか否かをモニタリングする第一モニタリングサブユニットと、
前記第一パワーオフ信号又は前記シャットダウン信号を取得した場合、目標無線端末から送信された第一制御信号を受信したか否かをモニタリングする第二モニタリングサブユニットと、
目標無線端末から送信された第一制御信号を受信した場合、第一プロセッサをウェイクアップさせる必要があると確定する第一確定サブユニットと、
を含む。
【００１４】
また、前記第二モニタリングサブユニットは、
前記第一プロセッサへ給電させるように前記給電モジュールを制御する第一制御モジュールと、
前記第一プロセッサが給電された後に送信した無線モジュール制御システムの実行ファイルを受信する受信モジュールと、
前記実行ファイルの受信が終了した後に、前記第一プロセッサへの給電を切断させるように前記給電モジュールを制御する第二制御モジュールと、
前記実行ファイルを用いて前記無線モジュール制御システムを更新し、前記無線モジュール制御システムによって前記無線端末から送信された第一制御信号を受信したか否かをモニタリングするモニタリングモジュールと、
を含む。
【００１５】
また、前記第二モニタリングサブユニットは、
無線端末から送信された第一制御信号を受信した場合、前記第一制御信号が関連付けられた無線端末から送信された第一制御信号であるか否かを判断する判断モジュールと、
前記第一制御信号が関連付けられた無線端末から送信された第一制御信号である場合、目標無線端末から送信された第一制御信号を受信したと確定する確定モジュールと、
を含む。
【００１６】
また、前記判断モジュールは、
前記第一制御信号に付けた無線端末標識を取得する取得サブモジュールと、
予め設定された機器リストに前記無線端末標識を記録しているか否かを調べ、記録している場合、前記第一制御信号が関連付けられた無線端末から送信された第一制御信号であると確定する照合確定サブモジュールと、
を含む。
【００１７】
また、前記モニタリングユニットは、
前記第一プロセッサから送信されたスリープ信号及びスリープ持続期間を受信した場合、スリープタイマを開始すると共に、前記第一プロセッサへの給電を切断させて前記第一プロセッサを電源オフ状態とさせるように前記給電モジュールを制御するスリープ及び制御サブユニットと、
前記スリープタイマに基づきスリープ持続期間が満了したと判断する場合、或いはスリープ持続期間が満了する前に目標無線端末から送信された第二制御信号を受信した場合、前記第一プロセッサをウェイクアップさせる必要があると確定する第二確定サブユニットと、
を含む。
【００１８】
また、本発明の実施例の第三態様によれば、電子機器であって、
第一プロセッサと、給電モジュールと無線モジュールとを含み、
前記無線モジュールに第二プロセッサ、及び第二プロセッサの実行指令を記録するためのメモリーを含み、
その中、前記第二プロセッサは、
第一プロセスが電源オフ状態にある場合、第一プロセッサをウェイクアップさせる必要があるか否かをモニタリングし、
第一プロセッサをウェイクアップさせる必要がある場合、前記第一プロセッサへ給電させて前記第一プロセッサをウェイクアップさせるように前記給電モジュールを制御するように配置される電子機器を提供する。
【発明の効果】
【００１９】
本発明の実施例に係る技術的解決手段は、下記有益な効果を含む。
【００２０】
本発明においては、第一プロセッサが電源オフ状態にある場合、無線モジュールは第一プロセッサをウェイクアップさせる必要があるか否かをモニタリングすることができ、ウェイクアップさせる必要がある場合、無線モジュールは第一プロセッサへ給電させて第一プロセッサをウェイクアップさせるように給電モジュールを制御することができる。本発明は電子機器自身の無線モジュールを用いて第一プロセッサをウェイクアップさせるか否かをモニタリングし、ＭＣＵを別途追加する必要がなく、機器の資源消費量を低減させ、機器コストを削減させる。
【００２１】
本発明において、電子機器が電源オフされた後再びパワーオンし又は電子機器をシャットダウンした後、無線モジュールは電子機器のプロセッサの起動を制御するための第一制御信号を傍受し検出することができ、当該第一制御信号を取得した後、電子機器のプロセッサを起動し正常に動作させるように制御する。本発明はＭＣＵを別途追加する必要がなく、機器の資源消費量を低減させ、機器コストを削減させる。
【００２２】
本発明において、電子機器がシャットダウンした後、又は電子機器を再度とパワーオンした後、最新の実行ファイルを無線モジュールに送信することにより、無線モジュールを更新し最適な状態で動作させることを実現する。
【００２３】
本発明において、無線端末の第一制御信号を受信した場合、当該無線端末が関連付けられた無線端末であるか否かを判断でき、関連付けられた無線端末しか第一プロセッサをウェイクアップさせず、これにより電子機器の安全機能を向上させる。
【００２４】
本発明において、予め設定された機器リストに無線端末標識を記録し、無線端末標識によって関連付けられた無線端末から送信された第一制御信号であるか否かを判断する。当該方法は実現しやすく、且つ判断的確率が高い。
【００２５】
本発明において、電子機器がスリープ状態にある場合、第一プロセッサから送信されたスリープ持続期間に基づいてタイマを行うことができ、スリープ持続期間が満了した場合、又は無線端末からの制御信号を受信した場合、第一プロセッサをウェイクアップさせる。本発明は無線モジュールによってタイマ機能を行うことができ、ＭＣＵとタイマを別途に追加する必要がなく、機器の資源消費量を低減させ、機器コストを削減させる。
【００２６】
本願の実施例により提供された技術的解決手段は、下記好適な効果を含むことができる。
【００２７】
本発明において、第一プロセッサが電源オフ状態にある場合、無線モジュールは第一プロセッサをウェイクアップさせる必要があるか否かをモニタリングすることができ、ウェイクアップさせる必要がある場合、無線モジュールは第一プロセッサへ給電させて第一プロセッサをウェイクアップさせるように給電モジュールを制御することができる。本発明は電子機器自身の無線モジュールにより第一プロセッサをウェイクアップさせるか否かをモニタリングし、ＭＣＵを別途追加する必要がなく、機器の資源消費量を低減させ、機器コストを削減させる。
【００２８】
理解すべきことは、上記の一般的な説明と下記の詳細な説明は例示的なものに過ぎず、本願を限定するものではない。
【図面の簡単な説明】
【００２９】
ここでの図面は明細書に合わせて明細書の一部を構成し、本発明に適合する実施例を例示し、且つ明細書と共に本発明の原理を解釈することに用いられる。
【００３０】
【図１Ａ】図１Ａは一例示的な実施例に係る電子機器のウェイクアップ方法のフローチャートである。
【図１Ｂ】図１Ｂは一例示的な実施例に係る電子機器の装置のブロック図である。
【図２Ａ】図２Ａは一例示的な実施例に係る他の電子機器のウェイクアップ方法のフローチャートである。
【図２Ｂ】図２Ｂは一例示的な実施例に係る他の電子機器のウェイクアップ方法の適用シーン概略図である。
【図３】図３は一例示的な実施例に係る電子機器のウェイクアップ装置のブロック図である。
【図４】図４は一例示的な実施例に係る他の電子機器のウェイクアップ装置のブロック図である。
【図５】図５は一例示的な実施例に係る他の電子機器のウェイクアップ装置のブロック図である。
【図６】図６は一例示的な実施例に係る他の電子機器のウェイクアップ装置のブロック図である。
【図７】図７は一例示的な実施例に係る他の電子機器のウェイクアップ装置のブロック図である。
【図８】図８は一例示的な実施例に係る他の電子機器のウェイクアップ装置のブロック図である。
【図９】図９は一例示的な実施例に係る他の電子機器のウェイクアップ装置のブロック図である。
【図１０】図１０は一例示的な実施例に係る電子機器に用いられるウェイクアップ装置のブロック図である。
【発明を実施するための形態】
【００３１】
ここで、例示的な実施例について詳しく説明し、その実例は図面に示す通りである。下記の説明が図面に関わる時、別途に表示されない限り、異なる図面における同じ数字は同じ又は類似する要素を示す。以下の例示的な実施例に説明される実施形態は本願と一致する全ての実施形態を代表するものではない。逆に、それらは特許請求の範囲に詳述された、本願の一部の態様と一致する装置及び方法の例に過ぎない。
【００３２】
本発明に使用される用語は特定な実施例を説明するためのものに過ぎず、本発明を制限するものではない。本発明及び特許請求の範囲に使用される単数形態の「一種」、「上記」と「当該」は、前後関係からはっきりと他の意味を表示しない限り、複数形態も含む。更に、本文に使用される用語「及び／又は」は、一つ又は複数の関連する列記された項目の任意又はすべての組合せを含む。
【００３３】
本発明では、第一、第二、第三などの用語で各種の要素を記載する場合があり、これらの要素はこのような用語に制限されるべきではないと理解すべきである。これらの用語は同じ類型の要素を互いに分けることだけに用いられる。例えば、本発明の範囲から離脱しない情況で、第一要素を第二要素と称してもよく、同様に、第二要素も第一要素と称してもよい。ここで使用される「場合」という語彙は、状況に応じて「時には」又は「時に」又は「確定に応じて」を意味するものと解釈される。
【００３４】
図１Ａに示すように、図１Ａは例示的な実施例に係る電子機器のウェイクアップ方法のフローチャートである。当該方法は電子機器において第一プロセッサと給電モジュールに接続される無線モジュールに用いられ、下記ステップを含む。
【００３５】
ステップ１０１において、上記第一プロセッサが電源オフ状態にある場合、上記第一プロセッサをウェイクアップさせる必要があるか否かをモニタリングする。
【００３６】
図１Ｂの示すように、本発明の電子機器の装置のブロック図である。電子機器は、第一プロセッサと、給電モジュールと無線モジュールとを含む。その中、第一プロセッサは当該電子機器のメインプロセッサとして電子機器が正常に動作を行う時にデータ処理を担う。実用時に、第一プロセッサはＣＰＵ（Ｃｅｎｔｒａｌ  Ｐｒｏｃｅｓｓｉｎｇ  Ｕｎｉｔ、中央処理装置）であってもよく、第一プロセッサと無線モジュールはそれぞれに給電線を介して給電モジュールに接続され、給電モジュールは第一プロセッサと無線モジュールに給電することができる。第一プロセッサは更に無線モジュールに接続され、無線モジュールは本発明の実施例に係る電子機器のウェイクアップ方法を実行し、第一プロセッサをウェイクアップさせることに用いられる。
【００３７】
本発明の実施例において、第一プロセッサをウェイクアップさせる必要があるか否かに対しては、電子機器がシャットダウン状態にある場合、目標無線端末から送信された第一制御信号をモニタリングすることである。例えば、電子機器がシャットダウンする時に（その電源プラグがソケットに差し込まれ、電力配電回路網にアクセスできる）、ユーザは電子機器に関連付けられた無線リモコン又はスマートフォンによって電子機器を起動することができる。
【００３８】
又は、電子機器がスリープ状態にある場合、ウェイクアップイベントがあるか否か又は無線端末の制御信号を受信したか否かをモニタリングすることができる。例えば、電子機器に目覚まし時計イベントが設置され、目覚まし時計イベントが満了する時に、当該目覚まし時計イベントを処理するようにＣＰＵをウェイクアップさせる。又は、電子機器にモニタリングを行うために電子機器におけるカメラを起動させるある時点をセットされ、無線モジュールは当該時点が満了することをモニタリングした場合、カメラを起動させるようにＣＰＵをウェイクアップさせる。又は、ユーザが電子機器に係る無線リモコン又はスマートフォンなどの無線端末によって電子機器を起動させることをモニタリングした。
【００３９】
ステップ１０２において、第一プロセッサをウェイクアップさせる必要がある場合、上記第一プロセッサへ給電させて上記第一プロセッサをウェイクアップさせるように上記給電モジュールを制御する。
【００４０】
本実施例において、給電モジュールはそれぞれ給電線を介して第一プロセッサと無線モジュールに接続され、無線モジュールは第一プロセッサをウェイクアップさせる必要があると判断した場合、給電線の電位を上げることによって、給電モジュールに第一プロセッサへ給電させ第一プロセッサをウェイクアップさせる。
【００４１】
上記実施例から分かるように、本発明は、第一プロセッサが電源オフ状態にある場合、無線モジュールは第一プロセッサをウェイクアップさせる必要があるか否かをモニタリングすることができ、ウェイクアップさせる必要がある場合、無線モジュールは第一プロセッサへ給電させ第一プロセッサをウェイクアップさせるように給電モジュールを制御することができる。本発明は電子機器自身の無線モジュールにより第一プロセッサをウェイクアップさせるか否かをモニタリングし、ＭＣＵを別途追加する必要がなく、機器の資源消費量を低減させ、機器コストを削減させる。
【００４２】
図２Ａに示すように、例示的な実施例に係る他の電子機器のウェイクアップ方法のフローチャートである。当該方法は電子機器の無線モジュールに用いられ、当該方法は上記実施例のうえで、第一プロセッサをウェイクアップさせる必要があるか否かをどのようにモニタリングする処理過程を説明し、下記ステップを含む。
【００４３】
ステップ２０１において、上記第一プロセッサが電源オフ状態にある場合、上記電子機器の第一パワーオン信号又は上記第一プロセッサのシャットダウン信号を取得したか否かをモニタリングする。
【００４４】
ステップ２０２において、上記第一パワーオン信号又は上記シャットダウン信号を取得した場合、目標無線端末から送信された第一制御信号を受信したか否かをモニタリングする。
【００４５】
ステップ２０３において、目標無線端末から送信された第一制御信号を受信した場合、第一プロセッサをウェイクアップさせる必要があると確定する。
【００４６】
ステップ２０４において、上記第一プロセッサをウェイクアップさせる必要がある場合、上記第一プロセッサへ給電させて上記第一プロセッサをウェイクアップさせるように上記給電モジュールを制御する。
【００４７】
図２Ｂに示すように、本発明に係る電子機器のウェイクアップ方法の適用シーン図であり、同図には電子機器と無線端末とを含み、電子機器は、第一プロセッサ、給電モジュール及び無線モジュールを含んでもよい。その中、第一プロセッサは当該電子機器のメインプロセッサとして電子機器が定常動作する時のデータ処理を担う。実用時に、第一プロセッサはＣＰＵ（Ｃｅｎｔｒａｌ  Ｐｒｏｃｅｓｓｉｎｇ  Ｕｎｉｔ、中央処理装置）であってもよく、第一プロセッサと無線モジュールは給電線を介して給電モジュールに接続され、給電モジュールは第一プロセッサと無線モジュールに給電することができる。第一プロセッサは更に無線モジュールに接続され、無線モジュールは本発明の実施例に係る電子機器のウェイクアップ方法を実行し、第一プロセッサをウェイクアップさせることに用いられる。
【００４８】
実用には、無線モジュールと第一プロセッサとはデータ線によって接続され、当該電子機器が正常に動作を行う時に、無線モジュールは無線端末から送信された制御信号を受信し、且つ受信した無線制御信号をプロセッサに送信し、無線端末により電子機器に対する制御を実現することができる。本発明において、無線モジュールはＲＦ（Ｒａｄｉｏ  Ｆｒｅｑｕｅｎｃｙ、無線周波数）送受信モジュール又はＷＩＦＩ（Ｗｉｒｅｌｅｓｓ−Ｆｉｄｅｌｉｔｙ）などの無線モジュールであってもいい。また、プロセッサは、更に無線モジュールの受信端とリセットピンに接続され、無線モジュールの再起動を制御することに用いられる。
【００４９】
本実施例において、無線モジュールはプロセッサを接続することができ、無線モジュールはプロセッサのシャットダウン信号を取得することができ、又は、無線モジュールは電子機器の給電モジュールに接続され、無線モジュールは電子機器の第一パワーオン信号を取得することができる。
【００５０】
無線モジュールは多種のウェイクアップモードが設計されていることができ、例えば、パワーオンウェイクアップ（電子機器が電源にアクセスされた後、ユーザは無線端末によってウェイクアップを行うことができる）、正常ウェイクアップ（ありふれたユーザが電子機器の起動キーを押して電子機器をウェイクアップさせる）、カスタムウェイクアップ（ユーザは無線端末によってウェイクアップを行い、ウェイクアップされた時に画面が明るくさせるなどのウェイクアップ時の自動起動のカスタム機能を予めにカスタムする）、スリープウェイクアップ（スリープ状態でのウェイクアップ）。実用には、上記各種のウェイクアップモードは必要に応じて柔軟に配置することができる。
【００５１】
無線モジュールはプロセッサのシャットダウン信号又は電子機器の第一パワーオン信号を取得することで、プロセッサがウェイクアップ可能状態にあると判断でき、その中、電子機器の第一パワーオン信号は、配電回路網が電源オフされてから再度にパワーオンされるために引き起こすかもしれず、ユーザが電子機器の電源プラグに対して挿抜を行うために引き起こすかもしれない。
【００５２】
無線モジュールは、プロセッサのシャットダウン信号又は電子機器の第一パワーオン信号を取得する場合、目標無線端末から送信された第一制御信号を受信したか否かをモニタリングする。目標無線端末から送信された第一制御信号を受信した場合、第一プロセッサをウェイクアップさせる必要があると確定する。第一制御信号は、ユーザが無線端末の電源投入キーを押すことを無線端末がモニタリングした後に生成するものであってもよく、この時、ユーザが電子機器を起動する必要があると示し、無線モジュールが受信した後、第一プロセッサへ給電させ第一プロセッサをウェイクアップさせるように給電モジュールを制御する。実用には、給電線の電位を上げることによって、給電モジュールを第一プロセッサへ給電させ第一プロセッサをウェイクアップさせる。
【００５３】
上記実施例から分かるように、電子機器が電源オフされてからパワーオンする場合又は電子機器をシャットダウンした後、無線モジュールは電子機器のプロセッサの起動を制御するための第一制御信号を傍受し検出することができ、当該第一制御信号を取得した後、電子機器のプロセッサが起動して正常に動作するように制御する。本発明は、ＭＣＵを別途追加する必要がなく、機器の資源消費量を低減させ、機器コストを削減させる。
【００５４】
選択可能の実現形態において、上記目標無線端末から送信された第一制御信号を受信したか否かをモニタリングすることは、
上記第一プロセッサへ給電させるように上記給電モジュールを制御することと、
上記第一プロセッサが給電された後に送信された無線モジュール制御システムの実行ファイルを受信することと、
上記実行ファイルを受信完了した後、上記第一プロセッサへの給電を切断するように上記給電モジュールを制御することと、
上記実行ファイルにより上記無線モジュール制御システムを更新し、上記無線モジュール制御システムによって上記無線端末から送信された第一制御信号を受信したか否かをモニタリングすることと、を含むことができる。
【００５５】
本実施例において、電子機器をパワーオンし又はシャットダウンする時に、ファームウェアのｂｕｇ（欠陥）を解決するように無線モジュールのファームウェア（ｆｉｒｍｗａｒｅ）を更新し、又は無線モジュールの機能を追加することができる。例えば、電子機器がパワーオンする場合（電源線が電源ソケットに差し込まれる）、無線モジュールは給電状態にあり、この時、無線モジュール自身のプロセッサが動作しており（無線モジュールのｒｏｍにデフォルトファームウェアがある）、この時、無線モジュールは給電モジュールの給電線の電位を上がらせて、給電モジュールがＣＰＵへ給電して動作状態にさせて、ＣＰＵがデータバスによって無線モジュールとの通信を作成し、この時、ＣＰＵはこの時にパワーオンウェイクアップにあると判断することができ、ＣＰＵはｒｅｓｅｔ線によって無線モジュールを再起動することができ（この時にＣＰＵが給電する必要があるため、給電線の状態を変更できない）、且つデータバスを介して最新の実行ファイルを無線モジュールに送信する（無線モジュールに現在記憶された実行ファイルより新しく、例えばあるｂｕｇを解決し又は新しい機能を実現した）。
【００５６】
上記動作が完了した後、ＣＰＵのタスクが完成し、ＣＰＵを電源オフさせるようにデータバスを介して無線モジュールに知らせ、無線モジュールは電源オフ指令を受信した後、給電モジュールの給電線の電位を下がらせて、ＣＰＵを電源オフさせる。
【００５７】
その後、無線モジュールは無線端末から送信された第一制御信号を受信したか否かをモニタリングすることができ、無線モジュールが受信した後、第一プロセッサへ給電させて第一プロセッサをウェイクアップさせるように給電モジュールを制御する。
【００５８】
本発明の実施例において、電子機器をシャットダウンさせた後、又は電子機器に再びパワーオンした後、最新の実行ファイルを無線モジュールに送信することにより、無線モジュールの更新を実現し、一層よい状態で動作させる。
【００５９】
選択可能の実現形態において、目標無線端末から送信された第一制御信号を受信したか否かをモニタリングすることは、
無線端末から送信された第一制御信号を受信した場合、上記第一制御信号が関連付けた無線端末から送信された第一制御信号であるか否かを判断することと、
上記第一制御信号が関連付けた無線端末から送信された第一制御信号である場合、目標無線端末から送信された第一制御信号を受信したと確定することと、を含むことができる。
【００６０】
本実施例において、無線端末からの第一制御信号を受信した場合、当該無線端末が関連付けた無線端末であるか否かを判断することができ、関連付けた無線端末しか第一プロセッサをウェイクアップさせなく、そこで、電子機器の安全性能を向上させる。
【００６１】
その中、上記第一制御信号が関連付けた無線端末から送信された第一制御信号であるか否かを判断することは、
上記第一制御信号に付けた無線端末標識を取得することと、
予め設定された機器リストの中に上記無線端末標識を記録するか否かを調べ、記録した場合、上記第一制御信号が関連付けた無線端末から送信された第一制御信号であると確定することと、を含むことができる。
【００６２】
本実施例において、機器リストを予め記憶していることができ、機器リストに各関連付けた無線端末を記録し、リストの中に、無線端末標識を記録することができ、無線端末標識は無線端末の番号であってもよく、又は無線端末のＩＤであってもよく、更に機器端末の名称であってもよく、ＭＡＣ（Ｍｅｄｉａ  Ａｃｃｅｓｓ  Ｃｏｎｔｒｏｌ、媒体アクセス制御）アドレスなどであってもよく、無線端末を唯一に標識すればよく、本発明の実施例にはこれを限定しない。
【００６３】
実用には、機器リストはＣＰＵが無線モジュールに実行ファイルを送信するとともに送信され、無線モジュールに機器リストを直ちに更新させることができる。
【００６４】
本実施例において、予め記憶されている機器リストに無線端末標識を記録し、無線端末標識により関連付けた無線端末から送信された第一制御信号であるか否かを判断する。当該方法は実現しやすく、且つ判断的確率が高い。
【００６５】
図３に示すように、図３は例示的な実施例に係る他の電子機器のウェイクアップ方法のフローチャートである。該方法は、上記実施例のうえで、第一プロセッサをウェイクアップさせる必要があるか否かをどのようにモニタリングする他の処理過程を説明し、下記ステップを含む。
【００６６】
ステップ３０１において、上記第一プロセッサからのスリープ信号及びスリープ持続期間を受信した場合、スリープタイマを開始し、同時に上記第一プロセッサへの通電を切断させて上記第一プロセッサを電源オフ状態にさせる上記給電モジュールを制御する。
【００６７】
本ステップにおいて、無線モジュールはスリープウェイクアップを実現することができる。第一プロセッサからのスリープ信号を受信した場合、無線モジュールは第一プロセッサへの通電を切断させるように給電モジュールを制御することができる。スリープ状態を考慮して、電子機器には多種のタイマイベントを設置することができ、例えばユーザにより設定された目覚まし時計イベント、ユーザにより設定されたある時間でカメラを起動するイベント、又はユーザにより設定されたカレンダーのヒントイベントなどである。上記イベントはタイマ機能を起動する必要がある。関連技術において、通常に、タイマを外付けることによって、当該タイマによりタイマ機能を行う。本ステップにおいて、第一プロセッサはスリープ持続期間を無線モジュールに送信し、無線モジュールによりタイマ機能を実行することができる。
【００６８】
ステップ３０２において、上記スリープタイマに基づきスリープ持続期間が満了したと判断する場合、又はスリープ持続期間が満了する前に目標無線端末から送信された第二制御信号を受信した場合、第一プロセッサをウェイクアップさせる必要があると確定する。
【００６９】
本ステップにおいて、スリープタイマに基づきスリープ持続期間が満了したと判断する場合、第一プロセッサが上記タイマイベントを処理する必要があると示すので、第一プロセッサをウェイクアップさせる必要があると確定する。又はスリープ持続期間が満了する前に、目標無線端末から送信された第二制御信号を受信したか否かをモニタリングする。当該第二制御信号は、上記第一制御信号と同じであってもよいが、異なってもよい。一般的に、電子機器がスリープ状態にある場合、ユーザは無線端末中の電源投入物理キーなどを押す方式によって電子機器を起動することができる。
【００７０】
ステップ３０３において、上記第一プロセッサをウェイクアップさせる必要がある場合、上記第一プロセッサへ給電させて上記第一プロセッサをウェイクアップさせるように上記給電モジュールを制御する。
【００７１】
例えば、電子機器がスリープ状態にある場合、ＣＰＵはＣＰＵに対してパワーオフを行うことを無線モジュールに知らせ、ＣＰＵに接続されたメモリーは自己更新モードを実行し始める。タイマイベント、例えば目覚まし時計、又はユーザにより設定された通知イベントなどがあると、ＣＰＵは無線モジュールによりタイマイベントのタイマ機能を処理し、無線モジュールによりＣＰＵに対してパワーオフを行ってからタイマを実行し、タイマイベントの発生時間をモニタリングする。
【００７２】
タイマが満了すると、無線モジュールはＣＰＵをウェイクアップさせ、給電線の電位を上がらせることによってＣＰＵを給電させ、ＣＰＵがウェイクアップされた後にデータバスを初期化し、この時がスリープ状態のウェイクアップであると判断し、メモリーから回復し始めて、ＣＰＵは上記タイマイベントを処理する。実用には、ＣＰＵが上記タイマイベントの処理が終了した後、ＣＰＵにより他のイベントを処理する必要がない場合に、無線モジュールによって該ＣＰＵへの通電を切断してスリープ状態に回復させることができる。
【００７３】
又は、ＣＰＵがスリープ状態にある場合、目標無線端末の第二制御信号を受信する場合に、第一プロセッサをウェイクアップさせる必要があると確定し、当該第二制御信号は、ユーザにより目標無線端末から入力されたウェイクアップ信号であってもよく、例えば、ユーザが無線端末のＰＯＷＥＲキーを押すこと、又はユーザがスマートフォンにより遠隔で電子機器のカメラを起動することなどである。この時、無線モジュールはＣＰＵへ給電させてＣＰＵをウェイクアップさせる該当の処理を行うように給電モジュールを制御する。
【００７４】
上記実施例から分かるように、電子機器がスリープ状態にある場合、第一プロセッサが送信したスリープ持続期間に基づいてタイマを行い、スリープ持続期間が満了した又は無線端末の制御信号を受信した場合、第一プロセッサをウェイクアップさせることができる。本発明は、無線モジュールを利用してタイマ機能を行うことができ、ＭＣＵ及びタイマを別途追加する必要がなく、機器の資源消費量を低減させ、機器コストを削減させる。
【００７５】
図４に示すように、図４は例示的な実施例に係る電子機器のウェイクアップ装置のブロック図であり、上記装置はモニタリングユニット４１０と制御ユニット４０２とを含む。
【００７６】
その中、モニタリングユニット４１０は、上記第一プロセッサが電源オフ状態にある場合に、上記第一プロセッサをウェイクアップさせる必要があるか否かをモニタリングするように配置される。
【００７７】
制御ユニット４２０は、上記第一プロセッサをウェイクアップさせる必要がある場合、上記第一プロセッサへ給電させて上記第一プロセッサをウェイクアップさせる上記給電モジュールを制御するように配置される。
【００７８】
上記実施例から分かるように、第一プロセッサが電源オフ状態にある場合、無線モジュールは第一プロセッサをウェイクアップさせる必要があるか否かをモニタリングし、ウェイクアップさせる必要がある場合、無線モジュールは第一プロセッサへ給電させて第一プロセッサをウェイクアップさせるように給電モジュールを制御することができる。本発明は、電子機器自体の無線モジュールにより第一プロセッサをウェイクアップさせたか否かをモニタリングし、ＭＣＵを別途追加する必要がなく、機器の資源消費量を低減させ、機器コストを削減させる。
【００７９】
図５に示すように、図５は、例示的な実施例に係る他の電子機器のウェイクアップ装置のブロック図である。当該実施例は上記図４に示すような実施例のうえで、上記モニタリングユニット４１０は、第一モニタリングサブユニット４１１、第二モニタリングサブユニット４１２及び第一確定サブユニット４１３を含む。
【００８０】
その中、第一モニタリングサブユニット４１１は、上記電子機器の第一パワーオン信号又は上記第一プロセッサのシャットダウン信号を取得したか否かをモニタリングするように配置される。
【００８１】
第二モニタリングサブユニット４１２は、上記第一パワーオン信号又は上記シャットダウン信号を取得した場合、目標無線端末から送信された第一制御信号を受信したか否かをモニタリングするように配置される。
【００８２】
第一確定サブユニット４１３は、目標無線端末から送信された第一制御信号を受信した場合、第一プロセッサをウェイクアップさせる必要があると確定するように配置される。
【００８３】
上記実施例から分かるように、電子機器への通電が切断された後に再びパワーオンする場合又は電子機器をシャットダウンした後、無線モジュールは、電子機器のプロセッサの起動を制御するための第一制御信号を傍受し検出することができ、該第一制御信号を取得した後、電子機器のプロセッサが起動して正常に動作させるように制御する。本発明は、ＭＣＵを別途追加する必要がなく、機器の資源消費量を低減させ、機器コストを削減させる。
【００８４】
図６に示すように、図６は本発明の例示的な実施例に係る他の電子機器のウェイクアップ装置のブロック図である。当該実施例は上記図４に示すような実施例のうえで、上記第二モニタリングサブユニット４１２は、第一制御モジュール４１２１、受信モジュール４１２２、第二制御モジュール４１２３、及びモニタリングモジュール４１２３を含む。
【００８５】
その中、第一制御モジュール４１２１は、上記第一プロセッサへ給電させるように上記給電モジュールを制御するように配置される。
【００８６】
受信モジュール４１２２は、上記第一プロセッサが給電された後に送信された無線モジュール制御システムの実行ファイルを受信するように配置される。
【００８７】
第二制御モジュール４１２３は、上記実行ファイルの受信を終了した後、上記第一プロセッサシーズへの給電を切断させるように上記給電モジュールを制御するように配置される。
【００８８】
モニタリングモジュール４１２４は、上記実行ファイルを利用して上記無線モジュール制御システムを更新し、上記無線モジュール制御システムによって、上記無線端末から送信された第一制御信号を受信したか否かをモニタリングするように配置される。
【００８９】
上記実施例から分かるように、電子機器をシャットダウンした後、又は電子機器に再びパワーオンした後、最新の実行ファイルを無線モジュールに送信することにより、無線モジュールを更新し一層よい状態で動作させることを実現する。
【００９０】
図７に示すように、図７は本発明の例示的な実施例に係る他の電子機器のウェイクアップ装置のブロック図である。当該実施例は上記図４に示すような実施例のうえで、上記第二モニタリングサブユニット４１２は、判断モジュール４１２５と確定モジュール４１２６を含む。
【００９１】
その中、判断モジュール４１２４は、無線端末から送信された第一制御信号を受信した場合、上記第一制御信号が関連付けた無線端末から送信された第一制御信号であるか否かを判断するように配置される。
【００９２】
確定モジュール４１２５は、上記第一制御信号が関連付けた無線端末から送信された第一制御信号である場合、目標無線端末から送信された第一制御信号を受信したことと確定するように配置される。
【００９３】
上記実施例から分かるように、無線端末の第一制御信号を受信した場合、当該無線端末が関連付けた無線端末であるか否かを判断することができ、関連付けた無線端末しか第一プロセッサをウェイクアップさせず、そのため、電子機器の安全性を向上させる。
【００９４】
図８に示すように、図８は本発明の例示的な実施例に係る他の電子機器のウェイクアップ装置のブロック図である。当該実施例は上記図４に示すような実施例のうえで、上記判断モジュール４１２５は、取得サブモジュール４１２５１と照合確定サブモジュール４１２５２を含む。
【００９５】
その中、取得サブモジュール４１２５１は、上記第一制御信号中に付けた無線端末標識を取得するように配置される。
【００９６】
照合確定サブモジュール４１２５２は、予め設定された機器リストに上記無線端末標識が記録されているか否かを調べ、記録されている場合、上記第一制御信号が関連付けた無線端末から送信された第一制御信号であると確定するように配置される。
【００９７】
上記実施例から分かるように、予め決められた機器リストに無線端末標識が記録され、無線端末標識に基づいて関連付けた無線端末から送信された第一制御信号であるか否かを判断する。当該方法は実現しやすく、且つ判断的確率が高い。
【００９８】
図９に示すように、図９は本発明の例示的な実施例に係る他の電子機器のウェイクアップ装置のブロック図である。当該実施例は上記図４に示すような実施例のうえで、上記モニタリングユニット４１０は、スリープ及び制御サブユニット４１４と第二確定サブユニット４１５を含むものである。
【００９９】
その中、スリープ及び制御サブユニット４１４は、上記第一プロセッサから送信されたスリープ信号及びスリープ持続期間を受信した場合、スリープタイマを開始するとともに、上記第一プロセッサシーズへの給電を切断させ上記第一プロセッサに電源オフ状態とさせるように上記給電モジュールを制御するように配置される。
【０１００】
第二確定サブユニット４１５は、上記スリープタイマに基づいてスリープ持続期間が満了したと判断する場合、又はスリープ持続期間が満了する前に無線端末から送信された第二制御信号を受信した場合、第一プロセッサをウェイクアップさせる必要があると確定するように配置される。
【０１０１】
上記実施例から分かるように、電子機器がスリープ状態にある場合、第一プロセッサから送信されたスリープ持続期間に基づいてタイマを行い、スリープ持続期間が満了した又は無線端末の制御信号を受信した場合、第一プロセッサをウェイクアップさせることができる。本発明は、無線モジュールを利用してタイマ機能を行うことができ、ＭＣＵ及びタイマを別途追加する必要がなく、機器の資源消費量を低減させ、機器コストを削減させる。
【０１０２】
それに応じて、本発明は電子機器を更に提供し、第一プロセッサ、給電モジュール及び無線モジュールを含む。
【０１０３】
上記無線モジュールは、第二プロセッサ、及び第二プロセッサの実行可能な指令を記憶するためのメモリーを備え、
その中、上記第二プロセッサは、
第一プロセッサが電源オフ状態にある場合、第一プロセッサをウェイクアップさせる必要があるか否かをモニタリングし、
第一プロセッサをウェイクアップさせる必要がある場合、上記第一プロセッサへ給電させて上記第一プロセッサをウェイクアップさせるように上記給電モジュールを制御するように配置される。
【０１０４】
上記装置における各ユニットの機能及び作用の実現過程の詳細は、上記方法における対応するステップの実現過程を参照する。ここで繰り返して説明しない。
【０１０５】
装置の実施例に対して、それは基本的に方法の実施例に対応するため、関連部分は方法の実施例の説明を参照すればよい。以上説明した装置の実施例は例示的なものに過ぎず、そのうち、分離ユニットとして説明した上記ユニットは物理的な分離であってもよいし、物理的な分離ではなくてもよく、ユニットとして示したユニットは物理的なユニットであってもよいし、物理的なユニットではなくてもよく、即ち１つの箇所に位置してもよいし、複数のネットワークユニットに分布してもよい。実際の必要に応じて、そのうちの一部又は全部のモジュールで本発明の解決手段の目的を達成することができる。当業者であれば、進歩的な労働を必要とせずに、理解して実施することができる。
【０１０６】
図１０に示すように、図１０は本発明の例示的な実施例に係る電子機器に用いるウェイクアップ装置１０００のブロック図である。例えば、装置１０００は、携帯電話、コンピュータ、デジタル放送端末、メッセージ送受信装置、ゲームコンソール、タブレット型デバイス、医療機器、フィットネス装置、パーソナルデジタルアシスタントなどであってもよい。
【０１０７】
図１０を参照して、装置１０００は、処理部１００２、メモリー１００４、電源部１００６、マルチメディア部１００８、オーディオ部１０１０、入力／出力（Ｉ／Ｏ）インターフェース１０１２、センサー部１０１４、及び通信部１０１６の一つ又は複数の部材を含むことができる。
【０１０８】
処理部１００２は、一般的に装置１０００の全体的操作、例えば、表示、電話の呼び出し、データ通信、カメラ操作と記録操作に係る操作を制御する。処理部１００２は、上記方法の全部又は一部のステップを完成するように、コマンドを実行する一つ又は複数のプロセッサ１０２０を含むことができる。なお、処理部１００２は、その他の部材との間のインタラクションを行うための一つ又は複数のモジュールを含むことができる。例えば、処理部１００２は、マルチメディア部１００８と処理部１００２とのインタラクションを行うマルチメディアモジュールを含むことができる。
【０１０９】
メモリー１００４は、装置１０００における操作を支持するように様々な種類のデータを記憶するように構成される。これらのデータの例は、装置１０００に操作される全てのアプリケーションプログラム又は方法のコマンド、連絡先データ、電話帳データ、メッセージ、画像、ビデオなどを含む。メモリー１００４は、全ての種類の揮発性又は不揮発性メモリー又はそれらの組み合わせ、例えば、スタティックランダムアクセスメモリー（ＳＲＡＭ、ｓｔａｔｉｃ  ｒａｎｄｏｍ  ａｃｃｅｓｓ  ｍｅｍｏｒｙ）、電気的消去可能なプログラム可能な読み取り専用メモリー（ＥＥＰＲＯＭ、Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、消去可能なプログラム可能な読み取り専用メモリー（ＥＰＲＯＭ、Ｅｒａｓａｂｌｅ  Ｐｒｏｇｒａｍｍａｂｌｅ  Ｒｅａｄ  Ｏｎｌｙ  Ｍｅｍｏｒｙ）、プログラム可能な読み取り専用メモリー（ＰＲＯＭ、Ｐｒｏｇｒａｍｍａｂｌｅ  Ｒｅａｄ  Ｏｎｌｙ  Ｍｅｍｏｒｙ）、読み取り専用メモリー（ＲＯＭ、Ｒｅａｄ  Ｏｎｌｙ  Ｍｅｍｏｒｙ）、磁気メモリー、フラッシュメモリー、磁気ディスク又は光ディスクにより実現することができる。
【０１１０】
電源部１００６は、装置１０００の様々な部品へ電力を提供する。電源部１００６は、電源管理システム、一つ又は複数の電源、及びその他の装置１０００に対する電力の生成、管理及び供給に関連する部品を含むことができる。
【０１１１】
マルチメディア部１００８は、上記装置１０００とユーザの間の出力インターフェースを提供するスクリーンを含む。一部の実施例において、スクリーンは液晶ディスプレイ（ＬＣＤ）とタッチパネル（ＴＰ）を含むことができる。スクリーンにタッチパネルが含まれる場合、ユーザからの入力信号を受信するように、スクリーンがタッチパネルとして実現してもいい。タッチパネルは、タッチ、スワイプ及びタッチパネルに対するジェスチャーを検知するための一つ又は複数のタッチセンサーを含む。上記タッチセンサーは、タッチ又はスワイプ動作の境界を検知するのみでなく、上記タッチ又はスワイプの動作に関連する持続時間及び圧力を検出することができる。一部の実施例において、マルチメディア部１００８は、フロントカメラ及び／又はバックカメラを含む。装置１０００が操作モードにある場合、例えば、撮影モード又はビデオモードである場合、フロントカメラ及び／又はバックカメラは外部からのマルチメディアデータを受信することができる。各フロントカメラ及びバックカメラは、固定された光学レンズシステムであり、又は焦点距離と光学ズーム能力を有してもいい。
【０１１２】
オーディオ部１０１０は、オーディオ信号を出力及び／又は入力するように構成される。例えば、オーディオ部１０１０は、マイクロフォン（ＭＩＣ）を含んでいる。マイクロフォンは、装置１０００が操作モードにある場合、例えば、呼び出しモード、記録モード、音声認識モードにある場合、外部のオーディオ信号を受信するように構成される。受信されたオーディオ信号は、さらにメモリー１００４に記憶され、又は通信部１０１６を介して送信される。一部の実施例において、オーディオ部１０１０は、さらにオーディオ信号を出力するスピーカーを含んでいる。
【０１１３】
Ｉ／Ｏインターフェース１０１２は、処理部１００２と周辺インターフェースモジュールの間にインターフェースを提供する。上記周辺インターフェースモジュールは、キーボード、クリックホイール、ボタンなどであってもよい。これらのボタンは、ホームボタン、ボリュームボタン、スタートボタン及びロックボタンを含んでもいいが、それに限定されない。
【０１１４】
センサー部１０１４は、装置１０００へ各方面からの状態評価を提供する一つ又は複数のセンサーを含んでいる。センサー部１０１４は、例えば、装置１０００のオン／オフ状態、例えば装置１０００のディスプレイ及びキーパッドである部品の相対的位置決めを検出することができ、さらに装置１０００又は装置１０００の一つの部品の位置変化、ユーザと装置１０００の接触の有無、装置１０００の方位又は加速／減速、及び装置１０００の温度変化を検出することができる。センサー部１０１４は、物理的接触がない時、近傍物体の存在を検出する近接センサーを含んでいるように構成される。センサー部１０１４は、さらに、例えばＣＭＯＳ又はＣＣＤイメージセンサーなどの、イメージングアプリケーションに用いられる光学センサーを含むことができる。一部の実施例において、該センサー部１０１４は、さらに加速度センサー、ジャイロセンサー、磁気センサー、圧力センサー又は温度センサーを含むことができる。
【０１１５】
通信部１０１６は、装置１０００とその他の装置との間の有線又は無線方式による通信にことに用いられるように構成される。装置１０００は、通信標準に基づく例えば、Ｗｉ−Ｆｉ、２Ｇ又は３Ｇ、又はそれらの組み合わせの無線ネットワークにアクセスすることができる。一例示的な実施例において、通信部１０１６は、放送チャネルを介して外部放送管理システムからの放送信号又は放送関連情報を受信する。一例示的な実施例において、上記通信部１０１６は、さらに狭域通信を促進するための近距離無線通信（ＮＦＣ）モジュールを含む。例えば、ＮＦＣモジュールにおいて、無線周波数識別（ＲＦＩＤ）技術、赤外線データ協会（ＩｒＤＡ）技術、超広帯域（ＵＷＢ）技術、ブルートゥース（ＢＴ）及びその他の技術により実現することができる。
【０１１６】
一例示的な実施例において、装置１０００は、一つ又は複数の特定用途向け集積回路（ＡＳＩＣ）、デジタル信号プロセッサ（ＤＳＰ）、デジタル信号処理装置（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ又はその他の電子部品により実現され、上記ユーザの推薦方法を実行するためである。
【０１１７】
一例示的な実施例において、さらに、装置１０００のプロセッサ１０２０により実行されて上記方法を完成することができるコマンドを有する、例えばメモリー１００４である非一時的コンピュータ可読記憶媒体を提供している。例えば、上記非一時的なコンピュータ可読記憶媒体は、ＲＯＭ、ランダムアクセスメモリー（ＲＡＭ）、ＣＤ−ＲＯＭ、磁気テープ、フロッピーディスク及び光データ記憶装置などであってもよい。
【０１１８】
非一時的なコンピュータ可読記憶媒体は、上記記憶媒体中の指令が端末のプロセッサにより実行される場合、端末が電子機器のウェイクアップ方法を実行でき、上記方法は、
上記第一プロセッサが電源オフ状態にある場合、上記第一プロセッサをウェイクアップさせる必要があるか否かをモニタリングすることと、
上記第一プロセッサをウェイクアップさせる必要がある場合、上記第一プロセッサへ給電させ上記第一プロセッサをウェイクアップさせるように上記給電モジュールを制御することと、を含む。
【０１１９】
当業者であれば、明細書を考慮しここに開示された発明を実践した後、本公開のその他の実施態様を容易に想到できる。本願は、本公開の如何なる変形、用途又は適応的変化を含むためのものであり、これらの変形、用途又は適応的変化は本願の一般的な原理に準じ、本願の開示されていない当該技術分野における周知知識又は慣用の技術手段を含む。明細書と実施例は例示的なものに過ぎず、本願の実際の範囲と精神は請求項により与えられる。
【０１２０】
ここで理解すべきことは、本願は既に上記のように説明され、図面に示された精確な構成に限定されず、その範囲を逸脱しない限りにおいて様々な修正や変更を行うことができる。本発明の範囲は特許請求の範囲のみにより限定される。
【０１２１】
以上は本発明の実施例のみであり、本発明を限定することに用いられなく、本発明の思想と原則以内にいずれの修正、均等と見なす替わり又は改進を行うことが本発明の保護範囲に含まれるべきである。
【図１Ａ】
0006298585.tif 000002
【図１Ｂ】
0006298585.tif 000003
【図２Ａ】
0006298585.tif 000004
【図２Ｂ】
0006298585.tif 000005
【図３】
0006298585.tif 000006
【図４】
0006298585.tif 000007
【図５】
0006298585.tif 000008
【図６】
0006298585.tif 000009
【図７】
0006298585.tif 000010
【図８】
0006298585.tif 000011
【図９】
0006298585.tif 000012
【図１０】
0006298585.tif 000013